(57)【要約】【課題】  ユーザ端末が接続される接続ユニットが増加しても、各接続ユニット同士を接続するための接続ケーブルの増加の割合が少ない通信システムを提供する。【解決手段】各ユニット４０1，４０2，…，４０Nでは、各データ信号ｙをユニット毎にユニークに設定された波長の光信号ｄに変換して波長分割多重して送出されているので、この通信システムは、同各ユニット４０1，４０2，…，４０Nが接続ケーブル４１1，…，４１N-1を順次介してカスケード接続されて構成される。このため、ユニットを増設する場合でも、接続ケーブルの増加の割合が減少し、コストが削減されると共に、同ユニットの増設に伴う作業が軽減される。また、各ユニット４０1，４０2，…，４０Nの各データ信号ｙの送出の制御が光信号ｃにより行われるので、各ユニット間に制御信号専用の接続ケーブルが不要となり、各ユニットの構成が比較的簡単になる。【選択図】図１
2006074707.tif 000002
【特許請求の範囲】
【請求項１】
複数のユーザ端末のうちの受け持ちのユーザ端末との間で通信データを送受信すると共に、当該接続ユニットと他の全ての接続ユニットとの間で前記通信データを送受信する複数の接続ユニットと、
前記各接続ユニット同士が前記通信データを送受信するための通信回線とを備えてなる通信システムであって、
前記各接続ユニットは、
受け持ちの前記ユーザ端末からの前記通信データを当該接続ユニット毎にユニークな波長に設定された搬送用の信号光に変換して前記通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御する構成とされていることを特徴とする通信システム。
【請求項２】
前記各接続ユニットは、
受け持ちの前記ユーザ端末からの前記通信データを当該接続ユニット毎にユニークな波長に設定された搬送用の信号光に変換する第１の電気／光変換器と、
当該接続ユニットの前記通信データの送受信の状況を表す送受信情報を前記搬送用の各信号光と異なる所定の波長に設定された制御用光に変換する第２の電気／光変換器と、
前記制御用光の出力タイミングを当該接続ユニット毎にユニークに設定するタイミング設定手段と、
前記信号光及び制御用光を波長分割多重して前記通信回線を介して他の全ての接続ユニットに送信する光送信手段と、
他の接続ユニットからの前記各信号光及び制御用光を前記通信回線を介して受信する光受信手段と、
該光受信手段で受信された前記各信号光及び制御用光を各波長毎に分離する光波長分離器と、
該光波長分離器で分離された前記各信号光のうちから送信元の接続ユニットの信号光を波長選択信号に基づいて選択する光選択手段と、
選択された該信号光を前記通信データに変換する第１の光／電気変換器と、
該通信データを該当する前記ユーザ端末へ送信する通信データ送信手段と、
前記光波長分離器で分離された前記制御用光を各接続ユニットに対応した前記送受信情報に変換する第２の光／電気変換器と、
該送受信情報に基づいて前記波長選択信号を生成すると共に前記信号光の送出を制御する信号光送出制御手段とを備えてなることを特徴とする請求項１記載の通信システム。
【請求項３】
前記各接続ユニットは、
受け持ちの前記ユーザ端末からの前記通信データを当該接続ユニット毎にユニークな波長に設定された搬送用の信号光に変換する第１の電気／光変換器と、
当該接続ユニットの前記通信データの送受信の状況を表す送受信情報を前記搬送用の各信号光と異なる所定の波長に設定された制御用光に変換する第２の電気／光変換器と、
前記制御用光の出力タイミングを当該接続ユニット毎にユニークに設定するタイミング設定手段と、
前記信号光及び制御用光を波長分割多重して前記通信回線に送出する光送信手段と、
他の接続ユニットからの前記各信号光及び制御用光を前記通信回線を介して受信して各波長毎に分離する光波長分離器と、
該光波長分離器で分離された前記各信号光のうちから送信元の接続ユニットの信号光を波長選択信号に基づいて選択する光選択手段と、
選択された該信号光を前記通信データに変換する第１の光／電気変換器と、
該通信データを該当する前記ユーザ端末へ送信する通信データ送信手段と、
前記光波長分離器で分離された前記制御用光を各接続ユニットに対応した前記送受信情報に変換する第２の光／電気変換器と、
該送受信情報に基づいて前記波長選択信号を生成すると共に前記信号光の送出を制御する信号光送出制御手段とを備え、
前記通信回線は、
当該接続ユニットの前記光送信手段から送出される前記信号光及び制御用光を他の全ての接続ユニットに送信する共通ユニットを備えてなることを特徴とする請求項１記載の通信システム。
【請求項４】
前記信号光送出制御手段は、
所定の周期で基準タイミング信号を発生する基準タイミング発生部と、
前記送受信情報に基づいて前記波長選択信号を生成すると共に前記各信号光の空き状態を検出する波長選択判定部と、
前記各信号光の空き状態に基づいて前記通信データの出力タイミングを前記所定の周期毎に決定するデータ出力判定部と、
該出力タイミングに基づいて前記信号光の送出を制御するデータ出力バッファ部とから構成されていることを特徴とする請求項２又は３記載の通信システム。
【請求項５】
前記送受信情報は、
送信先の接続ユニットを表す送信先情報と、
送信元の接続ユニットを表す送信元情報とから構成され、
前記通信データ送信手段は、
前記通信データを前記送信先情報に対応する接続ユニットへ送信する構成とされていることを特徴とする請求項２、３又は４記載の通信システム。
【請求項６】
複数のユーザ端末のうちの受け持ちのユーザ端末との間で通信データを送受信すると共に、当該接続ユニットと他の全ての接続ユニットとの間で通信回線を介して前記通信データを送受信する接続ユニットであって、
受け持ちのユーザ端末からの通信データを当該接続ユニット毎にユニークな波長に設定された搬送用の信号光に変換して通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御する構成とされていることを特徴とする接続ユニット。
【請求項７】
複数のユーザ端末のうちの受け持ちのユーザ端末との間で通信データを送受信すると共に、当該接続ユニットと他の全ての接続ユニットとの間で前記通信データを送受信する複数の接続ユニットと、
前記各接続ユニット同士が前記通信データを送受信するための通信回線とを備えてなる通信システムに用いられる通信方法であって、
前記各接続ユニットが、受け持ちの前記ユーザ端末からの前記通信データを当該接続ユニット毎にユニークな波長に設定された搬送用の信号光に変換して前記通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御することを特徴とする通信方法。
【発明の詳細な説明】
【技術分野】
【０００１】
この発明は、通信システム、接続ユニット、及び該通信システムに用いられる通信方法に係り、たとえば、多数のパソコンなどのユーザ端末が接続されるネットワークを企業内などで構成する場合に用いて好適な通信システム、接続ユニット、及び該通信システムに用いられる通信方法に関する。
【背景技術】
【０００２】
企業の内部などで多数のパソコンなどのユーザ端末が接続されるネットワークを構成する場合、同ユーザ端末が接続される複数の接続ユニットと、通信回線とを備えてなる通信システムが用いられることがある。各接続ユニットは、複数のユーザ端末のうちの受け持ちのユーザ端末との間で通信データを送受信すると共に、当該接続ユニットと他の全ての接続ユニットとの間で通信回線を介して同通信データを送受信する。
【０００３】
この種の通信システムは、従来では、たとえば図７に示すように、Ｎ個（Ｎ；整数）のユニット１０1，１０2，…，１０Nから構成されている。ユニット１０1は、Ｍ個（Ｍ；整数）のインタフェース部１１1，１１2，…，１１Mと、１個のデータ交換部１２とから構成されている。インタフェース部１１1，１１2，…，１１Mには、図示しないパソコンなどのユーザ端末が接続されている。データ交換部１２は、データ多重部１３と、データ分配部１４とから構成されている。データ多重部１３は、Ｍ個の入力部（「入力」）「１」，「２」，…，「Ｍ」及びＮ個の出力部（「出力」）「１」，「２」，…，「Ｎ」を有し、データ分配部１４は、Ｎ個の入力部（「入力」）「１」，「２」，…，「Ｎ」及びＭ個の出力部（「出力」）「１」，「２」，…，「Ｍ」を有している。ユニット１０2，…，１０Nも、ユニット１０1と同様の構成になっている。そして、各ユニット１０1，１０2，…，１０Nのデータ多重部１３の（Ｎ−１）個の出力部及びデータ分配部１４の（Ｎ−１）個の入力部は、各接続ケーブルを介して相互にメッシュ接続されている。
【０００４】
この通信システムでは、インタフェース部１１1，１１2，…，１１Mからのデータ信号ｄ1，ｄ2，…，ｄMがデータ多重部１３に入力され、同各データ信号中のサブデータ毎の宛先に対応するユニット１０2，…，１０Nに向けて出力部「２」，…，「Ｎ」から同各サブデータがそれぞれ出力される。また、各ユニット１０2，…，１０Nからのデータ信号がデータ分配部１４に入力され、同各データ信号中のサブデータ毎の宛先に対応するインタフェース部１１1，１１2，…，１１Mに向けて出力部「１」，「２」，…，「Ｍ」からサブデータが出力される。そして、各ユニット１０1，１０2，…，１０Nのデータ多重部１３の（Ｎ−１）個の出力部及びデータ分配部１４の（Ｎ−１）個の入力部が相互にメッシュ接続されているので、全てのユニット１０1，１０2，…，１０Nのインタフェース部１１1，１１2，…，１１Mの間で相互にデータ交換が行われる。
【０００５】
図８は、従来の他の通信システムの構成図である。
この通信システムは、同図８に示すように、Ｎ個（Ｎ；整数）のユニット２０1，２０2，…，２０Nと、共通ユニット３０とから構成されている。ユニット２０1は、Ｍ個（Ｍ；整数）のインタフェース部２１1，２１2，…，２１Mと、１個のデータ交換部２２とから構成されている。インタフェース部２１1，２１2，…，２１Mには、図示しないパソコンなどのユーザ端末が接続されている。データ交換部２２は、データ多重部２３と、データ分配部２４とから構成されている。データ多重部２３は、Ｍ個の入力部（「入力」）「１」，「２」，…，「Ｍ」及び１個の出力部Ｆを有し、データ分配部２４は、１個の入力部Ｇ及びＭ個の出力部（「出力」）「１」，「２」，…，「Ｍ」を有している。ユニット２０2，…，２０Nも、ユニット２０1と同様の構成になっている。共通ユニット３０は、データ交換部３１を有している。データ交換部３１は、Ｎ個の入力部（「入力」）「１」，「２」，…，「Ｎ」及びＮ個の出力部（「出力」）「１」，「２」，…，「Ｎ」を有している。
【０００６】
この通信システムでは、ユニット２０1，２０2，…，２０Nにおいて、インタフェース部２１1，２１2，…，２１Mからのデータ信号ｄ1，ｄ2，…，ｄMがデータ多重部２３に入力されて多重化され、多重化データｅ1，ｅ2，…，ｅNが共通ユニット３０のデータ交換部３１に送出される。データ交換部３１では、多重化データｅ1，ｅ2，…，ｅN中のサブデータ毎の宛先に対応するユニット２０1，２０2，…，２０Nのデータ分配部２４に向けて出力部「１」，「２」，…，「Ｎ」から各サブデータｆ1，ｆ2，…，ｆNがそれぞれ出力される。そして、全てのユニット２０1，２０2，…，２０Nのインタフェース部２１1，２１2，…，２１Mの間で相互にデータ交換が行われる。
【０００７】
上記の通信システムの他、従来、この種の技術としては、たとえば、次のような文献に記載されるものがあった。
特許文献１に記載された通信システムでは、複数のノード間の多重回線の回線割当（使用状況）情報が、多重されている各光の波長とは異なる波長の光で各ノードに繰り返し伝送されることにより、各ノードで回線割当情報が共有される。各ノードでは、受信した回線割当情報に基づいて、送信又は受信する光の波長が選択される。また、回線割当情報の収集及び分配を行う制御部分は、各ノードとは独立したコンセントレータに設けられている。
【特許文献１】特開平７−３０７７３９号公報（第３頁、図２）
【発明の開示】
【発明が解決しようとする課題】
【０００８】
しかしながら、上記従来の通信システムでは、次のような問題点があった。
すなわち、図７に示す通信システムでは、各ユニット１０k（ｋ；１，２，…，Ｎ）のデータ多重部１３にユニット１０kと同数の出力部「１」，「２」，…，「Ｎ」、及びデータ分配部１４にユニット１０kと同数の入力部「１」，「２」，…，「Ｎ」を設ける必要があるため、同データ多重部１３及びデータ分配部１４が複雑な構成になるという問題点がある。また、各ユニット１０kのデータ多重部１３の（Ｎ−１）個の出力部及びデータ分配部１４の（Ｎ−１）個の入力部は、各接続ケーブルを介して相互にメッシュ接続されているので、接続ケーブルの数は、ユニット数が２なら２本、ユニット数が３なら６本、ユニット数がＮなら（Ｎ−１）×Ｎ本となり、ユニット１０kが増加するにつれて膨大な数が必要であり、同ユニット１０kが追加された場合などでは、接続ケーブルを追加する作業が煩雑なものとなるという問題点がある。
【０００９】
また、図８に示す通信システムでは、各ユニット２０k（ｋ；１，２，…，Ｎ）の数にかかわらず、共通ユニット３０が必要であるが、同共通ユニット３０のデータ交換部３１に同ユニット２０kの最大数と同数の入力部「１」，「２」，…，「Ｎ」及び出力部「１」，「２」，…，「Ｎ」を設ける必要があるため、同共通ユニット３０が複雑な構成になるという問題点がある。また、入力部「１」，「２」，…，「Ｎ」及び出力部「１」，「２」，…，「Ｎ」におけるデータ信号伝送速度は、各ユニット２０kの伝送容量分必要であり、共通ユニット３０に設定される総伝送容量は、各ユニット２０kの伝送容量分のＮ×Ｎ倍必要となる。この場合、通信システムが構築された初期の段階では、ユニット２０kの全てが設けられることは少ないため、共通ユニット３０の構成が無駄になるという問題点がある。
【００１０】
また、特許文献１に記載された通信システムでは、データの送信制御にコンセントレータが必要となり、上記図８に示す通信システムとほぼ同様の問題点がある。
【００１１】
この発明は、上述の事情に鑑みてなされたもので、各ユニットの入力部及び出力部の数が低減され、ユニット間の接続ケーブルの数がユニットの増加に対して最低限の増加となり、また、共通ユニットが不要となるか、あるいは共通ユニットを用いる場合でも、その構成が比較的簡単なものとなる通信システム、接続ユニット、及び該通信システムに用いられる通信方法を提供することを目的としている。
【課題を解決するための手段】
【００１２】
上記課題を解決するために、請求項１記載の発明は、複数のユーザ端末のうちの受け持ちのユーザ端末との間で通信データを送受信すると共に、当該接続ユニットと他の全ての接続ユニットとの間で前記通信データを送受信する複数の接続ユニットと、前記各接続ユニット同士が前記通信データを送受信するための通信回線とを備えてなる通信システムに係り、前記各接続ユニットは、受け持ちの前記ユーザ端末からの前記通信データを当該接続ユニット毎にユニークな波長に設定された搬送用の信号光に変換して前記通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御する構成とされていることを特徴としている。
【００１３】
請求項２記載の発明は、請求項１記載の通信システムに係り、前記各接続ユニットは、受け持ちの前記ユーザ端末からの前記通信データを当該接続ユニット毎にユニークな波長に設定された搬送用の信号光に変換する第１の電気／光変換器と、当該接続ユニットの前記通信データの送受信の状況を表す送受信情報を前記搬送用の各信号光と異なる所定の波長に設定された制御用光に変換する第２の電気／光変換器と、前記制御用光の出力タイミングを当該接続ユニット毎にユニークに設定するタイミング設定手段と、前記信号光及び制御用光を波長分割多重して前記通信回線を介して他の全ての接続ユニットに送信する光送信手段と、他の接続ユニットからの前記各信号光及び制御用光を前記通信回線を介して受信する光受信手段と、該光受信手段で受信された前記各信号光及び制御用光を各波長毎に分離する光波長分離器と、該光波長分離器で分離された前記各信号光のうちから送信元の接続ユニットの信号光を波長選択信号に基づいて選択する光選択手段と、選択された該信号光を前記通信データに変換する第１の光／電気変換器と、該通信データを該当する前記ユーザ端末へ送信する通信データ送信手段と、前記光波長分離器で分離された前記制御用光を各接続ユニットに対応した前記送受信情報に変換する第２の光／電気変換器と、該送受信情報に基づいて前記波長選択信号を生成すると共に前記信号光の送出を制御する信号光送出制御手段とを備えてなることを特徴としている。
【００１４】
請求項３記載の発明は、請求項１記載の通信システムに係り、前記各接続ユニットは、受け持ちの前記ユーザ端末からの前記通信データを当該接続ユニット毎にユニークな波長に設定された搬送用の信号光に変換する第１の電気／光変換器と、当該接続ユニットの前記通信データの送受信の状況を表す送受信情報を前記搬送用の各信号光と異なる所定の波長に設定された制御用光に変換する第２の電気／光変換器と、前記制御用光の出力タイミングを当該接続ユニット毎にユニークに設定するタイミング設定手段と、前記信号光及び制御用光を波長分割多重して前記通信回線に送出する光送信手段と、他の接続ユニットからの前記各信号光及び制御用光を前記通信回線を介して受信して各波長毎に分離する光波長分離器と、該光波長分離器で分離された前記各波長のうちの１つの波長の信号光を波長選択信号に基づいて選択する光選択手段と、選択された該信号光を前記通信データに変換する第１の光／電気変換器と、該通信データを該当する前記ユーザ端末へ送信する通信データ送信手段と、前記光波長分離器で分離された前記制御用光を各接続ユニットに対応した前記送受信情報に変換する第２の光／電気変換器と、該送受信情報に基づいて前記波長選択信号を生成すると共に前記信号光の送出を制御する信号光送出制御手段とを備え、前記通信回線は、当該接続ユニットの前記光送信手段から送出される前記信号光及び制御用光を他の全ての接続ユニットに送信する共通ユニットを備えてなることを特徴としている。
【００１５】
請求項４記載の発明は、請求項２又は３記載の通信システムに係り、前記信号光送出制御手段は、所定の周期で基準タイミング信号を発生する基準タイミング発生部と、前記送受信情報に基づいて前記波長選択信号を生成すると共に前記各信号光の空き状態を検出する波長選択判定部と、前記各信号光の空き状態に基づいて前記通信データの出力タイミングを前記所定の周期毎に決定するデータ出力判定部と、該出力タイミングに基づいて前記信号光の送出を制御するデータ出力バッファ部とから構成されていることを特徴としている。
【００１６】
請求項５記載の発明は、請求項２、３又は４記載の通信システムに係り、前記送受信情報は、送信先の接続ユニットを表す送信先情報と、送信元の接続ユニットを表す送信元情報とから構成され、前記通信データ送信手段は、前記通信データを前記送信先情報に対応する接続ユニットへ送信する構成とされていることを特徴としている。
【００１７】
請求項６記載の発明は、複数のユーザ端末のうちの受け持ちのユーザ端末との間で通信データを送受信すると共に、当該接続ユニットと他の全ての接続ユニットとの間で通信回線を介して前記通信データを送受信する接続ユニットに係り、受け持ちのユーザ端末からの通信データを当該接続ユニット毎にユニークな波長に設定された搬送用の信号光に変換して通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御する構成とされていることを特徴としている。
【００１８】
請求項７記載の発明は、複数のユーザ端末のうちの受け持ちのユーザ端末との間で通信データを送受信すると共に、当該接続ユニットと他の全ての接続ユニットとの間で前記通信データを送受信する複数の接続ユニットと、前記各接続ユニット同士が前記通信データを送受信するための通信回線とを備えてなる通信システムに用いられる通信方法に係り、前記各接続ユニットが、受け持ちの前記ユーザ端末からの前記通信データを当該接続ユニット毎にユニークな波長に設定された搬送用の信号光に変換して前記通信回線を介して他の全ての接続ユニットに送出すると共に、当該接続ユニットの前記通信データの送受信の状況を表す送受信情報を前記搬送用の各信号光と異なる所定の波長に設定された制御用光に変換して当該接続ユニット毎にユニークに設定されたタイミングで前記通信回線を介して他の全ての接続ユニットに送出する一方、他の接続ユニットからの前記各信号光及び制御用光を前記通信回線を介して受信し、該制御用光を各接続ユニットに対応した前記送受信情報に変換し、前記各信号光を該送受信情報に基づいて選択して前記通信データに変換し、該当する前記ユーザ端末へ送信すると共に、該送受信情報に基づいて前記信号光の送出を制御することを特徴としている。
【発明の効果】
【００１９】
この発明の構成によれば、各接続ユニットが、各通信データを接続ユニット毎にユニークに設定された波長の搬送用の信号光に変換して送出する構成とされているので、この通信システムは、同各接続ユニットが通信回線を順次介してカスケード接続されて構成される。このため、接続ユニットを増設する場合でも、通信回線の増加の割合が減少し、コストを削減できると共に、同接続ユニットの増設に伴う作業を軽減できる。また、各接続ユニットの各通信データの送出の制御を制御用光により行うので、各接続ユニット間に制御信号専用の通信回線を付加する必要がない。このため、各接続ユニットの構成を比較的簡単にできると共に、コストを削減できる。
【００２０】
また、各接続ユニットは、送信元の接続ユニットの信号光を選択した後に同信号光を第１の光／電気変換器で光−電気変換する構成とされているので、電気−光変換器及び光−電気変換器の数が比較的少なくなり、接続ユニットの数に関わらず、通信システムを比較的小規模の構成で実現できる。また、通信回線は、当該接続ユニットの光送信手段から送出される信号光及び制御用光を他の全ての接続ユニットに送信する共通ユニットを備えているので、同光送信手段が簡単な構成になると共に光受信手段が不要になり、かつ同共通ユニットが簡単な構成になっているため、通信システムを比較的簡単な構成で実現できる。
【発明を実施するための最良の形態】
【００２１】
各接続ユニットが各データ信号を当該接続ユニット毎にユニークに設定された波長の光信号に変換して波長分割多重して送出し、同各接続ユニットが接続ケーブルを順次介してカスケード接続されて構成される通信システムを提供する。
【実施例１】
【００２２】
図１は、この発明の第１の実施例である通信システムの電気的構成を示すブロック図である。
この例の通信システムは、同図に示すように、ユニット４０1，４０2，…，４０Nと、接続ケーブル４１1，…，４１N-1とから構成されている。ユニット４０1は、データ交換ブロック５０と、光信号ブロック６０と、光／電気変換ブロック７０と、データ交換制御ブロック８０とから構成されている。データ交換ブロック５０は、Ｍ個（Ｍ；整数）のインタフェース部５１1，５１2，…，５１Mと、１個のデータ交換部５２とから構成されている。インタフェース部５１1，５１2，…，５１Mは、図示しないパソコンなどのユーザ端末との間でクライアント信号（通信データ）を送信又は受信し、受信データは、データ信号ｈ1，ｈ2，…，ｈMとしてデータ交換部５２へ出力し、同データ交換部５２からのデータ信号ｊ1，ｊ2，…，ｊMを送信データとして送信する。クライアント信号は、複数のサブデータから構成され、各サブデータは、それぞれの送信先に対応する他のインタフェース部に伝送される。
【００２３】
データ交換部５２は、データ多重部５３と、データ分配部５４とから構成されている。データ多重部５３は、Ｍ個の入力部（「入力」）「１」，「２」，…，「Ｍ」及び１個の出力部Ｆを有し、インタフェース部５１1，５１2，…，５１Mからのデータ信号ｈ1，ｈ2，…，ｈMを時分割多重し、同一のユニット４０1中の別のインタフェース部５１1，５１2，…，５１M宛の信号をデータ信号ｐとして出力し、別のユニット４０2，…，４０Nのインタフェース部５１1，５１2，…，５１M宛の信号はデータ信号ｑとして出力する。データ分配部５４は、１個の入力部Ｇ及びＭ個の出力部（「出力」）「１」，「２」，…，「Ｍ」を有し、データ信号ｕ及びデータ信号ｐを入力し、それぞれのサブデータ毎に、各サブデータの送信先に対応したインタフェース部５１1，５１2，…，５１Mを介して、対応するユーザ端末へデータ信号ｊ1，ｊ2，…，ｊMを送出する。
【００２４】
光信号ブロック６０は、光結合分配器６１と、光方向結合器６２と、光結合器６３と、光波長分離器６４と、光選択器６５とから構成されている。光結合分配器６１は、ユニット４０1，４０2，…，４０Nのうちの当該ユニットに隣接する１個又は２個のユニットからの光信号ｖを入力して光方向結合器６２へ出力すると共に、隣接する一方のユニットからの光信号ｖを入力して隣接する他方のユニットへ出力する。また、光結合分配器６１は、光信号ｗを隣接する１個又は２個のユニットに向けて出力する。光方向結合器６２は、光信号ａを入力して光信号ｗとして光結合分配器６１へ出力し、光信号ｗを入力して光信号ｂとして光波長分離器６４へ出力する。光結合器６３は、光信号ｃと光信号ｄとを波長分割多重して光信号ａとして光方向結合器６２へ出力する。
【００２５】
上記光結合分配器６１、光方向結合器６２及び光結合器６３により、光信号ｃ及び光信号ｄを接続ケーブル４１1，…，４１N-1を介して他の全ての接続ユニットに送信する光送信手段が構成されている。また、上記光結合分配器６１及び光方向結合器６２により、他の接続ユニットからの光信号ｃ及び光信号ｄを接続ケーブル４１1，…，４１N-1を介して受信する光受信手段が構成されている。光波長分離器６４は、波長分割多重された光信号ｂを各波長毎に分離し、波長「１」の光信号ｍ、及び波長「２」〜「Ｎ＋１」の光信号ｎとして出力する。光選択器６５は、光波長分離器６４で分離されたＮ本の光信号ｎのうちの１つを波長選択信号ｓａに基づいて選択して光信号ｘを出力する。
【００２６】
光／電気変換ブロック７０は、電気−光変換器７１と、電気−光変換器７２と、光−電気変換器７３，７４とから構成されている。電気−光変換器７１は、所定の波長に設定された搬送用の信号光を入力電気信号で変調する発光ダイオードや半導体レーザなどで構成され、データ信号ｙを波長「Ｋ」の光信号ｄ（搬送用の信号光）に変換して出力する。波長「Ｋ」は、ユニット毎にユニークに設定され、波長「２」〜「Ｎ＋１」のいずれかである。たとえば、ユニット４０1では波長「２」、ユニット４０2では波長「３」、ユニット４０Nでは波長「Ｎ＋１」の光信号ｄを出力する。電気−光変換器７２は、データ信号ｚを光信号ｄ（搬送用の信号光）と異なる波長「１」の光信号ｃ（制御用光）に変換して出力する。データ信号ｚには、当該接続ユニット４０1の通信データの送受信の状況を表す送受信情報が含まれている。送受信情報は、送信先のユニットを表す送信先情報、及び送信元のユニットを表す送信元情報から構成されている。
【００２７】
光−電気変換器７３は、光波長分離器６４で分離された波長「１」の光信号ｍ（制御用光）を電気信号に変換し、データ信号ｇとして出力する。データ信号ｇには、送受信情報が含まれている。光−電気変換器７４は、光選択器６５で選択された光信号ｘを電気信号に変換し、データ信号ｕ（通信データ）として出力する。
【００２８】
データ交換制御ブロック８０は、基準タイミング発生部８１と、波長選択判定部８２と、データ出力判定部８３と、データ出力バッファ部８４と、多重化部８５とから構成されている。このデータ交換制御ブロック８０により、送受信情報に基づいて波長選択信号ｓａを生成すると共に光信号ｄの送出を制御する信号光送出制御手段が構成されている。すなわち、基準タイミング発生部８１は、データ信号ｚ又はデータ信号ｇを各ユニット４０1，４０2，…，４０Nが共用するために必要な基準タイミング信号ｔを所定の周期で発生する。共通化のため、全てのユニット４０1，４０2，…，４０Nに基準タイミング発生部８１を実装してもよいが、動作が必要なのは１つのみであるため、通常、ユニット４０1の基準タイミング発生部８１が動作し、他のユニット４０2，…，４０Nの基準タイミング発生部８１は休止状態となっている。基準タイミング信号ｔは、多重化部８５で制御信号ｒａと多重されてデータ信号ｚとなり、電気−光変換器７２で波長「１」の光信号ｃに変換される。
【００２９】
波長選択判定部８２は、波長「１」の光信号ｍが光−電気変換器７３で電気信号に変換されたデータ信号ｇを入力し、同データ信号ｇに含まれる送受信情報を解析してユニット４０1，４０2，…，４０Nで受信選択すべき波長「２」〜「Ｎ＋１」のいずれかを決定し、波長選択信号ｓａを出力する。波長の選択は、ダイナミックすなわち短時間で選択変更が繰り返される。また、波長選択判定部８２は、データ信号ｇに含まれる送受信情報に基づいて波長「Ｋ」の信号光の空き状態を検出し、制御信号ｓｂとして出力する。データ出力判定部８３は、制御信号ｓｂを入力し、光信号ｃの出力タイミングを当該ユニットにユニークに設定するための制御信号ｒａを出力すると共に、ユニット４０1，４０2，…，４０Nにおける波長「Ｋ」の空き状態に基づいてデータ信号ｙの出力タイミングを基準タイミング信号ｔの周期毎に決定し、タイミング信号ｒｂとして出力する。データ出力バッファ部８４は、タイミング信号ｒｂに基づいて制御され、同タイミング信号ｒｂがアクティブモードでは、入力されたデータ信号ｑをデータ信号ｙとして出力し、同タイミング信号ｒｂがノンアクティブモードでは、同データ信号ｑのバッファリング（読込み）を行う。
【００３０】
ユニット４０2，…，４０Nも、ユニット４０1と同様の構成になっている。ただし、各ユニット中のインタフェース部の数（Ｍ）は、ユニット毎に異なっていてもよい。また、データ出力判定部８３は、制御信号ｓｂを入力し、光信号ｃの出力タイミングを各ユニット毎にユニークに設定するための制御信号ｒａを出力するため、各ユニット毎に異なっている。そして、各ユニット４０1，４０2，…，４０Nは、接続ケーブル４１1，…，４１N-1を順次介してカスケード接続されている。接続ケーブル４１1，…，４１N-1は、光ファイバで構成されている。
【００３１】
図２は、図１の通信システムの動作を説明するためのタイムチャートであり、縦軸に信号の有無、及び横軸に時間がとられている。
この図を参照して、この例の通信システムに用いられる通信方法について説明する。
この通信システムでは、各ユニット４０1，４０2，…，４０Nが、受け持ちのユーザ端末からの通信データを当該接続ユニット毎にユニークな波長「２」〜「Ｎ＋１」に設定された搬送用の光信号ｄに変換して接続ケーブル４１1，…，４１N-1を介して他の全てのユニットに送出すると共に、当該ユニットの通信データの送受信の状況を表す送受信情報を光信号ｄと異なる所定の波長「１」に設定された光信号ｃに変換して当該ユニット毎にユニークに設定されたタイミングで接続ケーブル４１1，…，４１N-1を介して他の全てのユニットに送出する一方、他のユニットからの各光信号ｄ及び光信号ｃを接続ケーブル４１1，…，４１N-1を介して受信し、同光信号ｃを各ユニットに対応した送受信情報に変換し、同各光信号ｄを同送受信情報に基づいて選択して通信データに変換し、該当するユーザ端末へ送信すると共に、同送受信情報に基づいて光信号ｄの送出を制御する。
【００３２】
すなわち、各ユニット４０1，４０2，…，４０Nでは、２種類の光信号、すなわち、電気−光変換器７２から波長「１」の光信号ｃ、及び電気−光変換器７１から波長「Ｋ」の光信号ｄが発生する。波長「Ｋ」は、各ユニット４０1，４０2，…，４０N毎に異なる値「２」〜「Ｎ＋１」のいずれかである。これらの光信号ｃ，ｄは、たとえば、ユニット４０1では、光結合器６３、光方向結合器６２、光結合分配器６１、及び接続ケーブル４１1，…，４１N-1を経由し、他のユニット４０2，…，４０Nの光結合分配器６１及び光方向結合器６２を経て光波長分離器６４へ到達する。また、各ユニット４０1，４０2，…，４０Nでは、光選択器６５により、波長「２」〜「Ｎ＋１」のいずれかが任意に選択されるが、これは、各ユニット４０1，４０2，…，４０Nの各光信号ｄすなわちデータ信号ｙが選択されるということである。
【００３３】
たとえば、ある送信側のユニット４０Pから受信側のユニット４０Qへサブデータが送付される場合、同ユニット４０Pのデータ出力バッファ８４では、データ信号ｙにユニット４０Q宛のサブデータが載せられ、同データ信号ｙが電気−光変換器７１で波長「Ｐ＋１」の光信号ｄに変換される。そして、光信号ｄは、光結合器６３、光方向結合器６２、光結合分配器６１、及び接続ケーブル４１1，…，４１N-1を経てユニット４０Qに入力され、同ユニット４０Qの光結合分配器６１及び光方向結合器６２を経て光波長分離器６４で各波長毎に分離され、波長「２」〜「Ｎ＋１」の光信号ｎが出力される。光信号ｎは、光選択器６５に入力されて波長「Ｐ＋１」の光信号ｘが選択されて出力される。光信号ｘは、光−電気変換器７４でデータ信号ｕに変換され、ユニット４０Q宛のサブデータが得られる。
【００３４】
この場合、ユニット４０Qでは、波長「Ｐ＋１」の光信号ｘを選択するために、当該ユニット宛のサブデータを受信していることを判定する必要がある。また、各ユニット４０1，４０2，…，４０Nの光信号ｄは、全ての送信先のユニットに対して共用であり、光選択器６５で選択される送付元のユニットは一時に１つであるため、各ユニット４０1，４０2，…，４０Nの光信号ｄについて送出制御を行う必要がある。この実施例では、波長「１」の光信号をこの目的で使用し、基準タイミング発生部８１、波長選択判定部８２、データ出力判定部８３、データ出力バッファ部８４からなるデータ交換制御ブロック８０ブロックは、この制御を行う。
【００３５】
すなわち、図２に示すように、ユニット４０1の基準タイミング発生部８１からは、図２（ａ）に示すように、定期的に基準タイミング信号ｔが発生する。他のユニット４０2，…，４０Nの基準タイミング発生部８１は、動作不要なので休止状態とする。また、図２（ｂ）〜（ｄ）に示すように、各ユニット４０1，４０2，…，４０Nでは、データ出力判定部８３は、基準タイミング信号ｔが発生した時間軸上の位置からユニット毎にユニークな時間“Ｎ×α”（α；所定の時間）の位置に当該ユニットの制御信号ｒａを出力する。これにより、図２（ｅ）に示すように、接続ケーブル４０k（ｋ；１，…，Ｎ−１）上の波長「１」の光信号及び各ユニット４０1，４０2，…，４０Nの光信号ｍ（波長「１」）上には、基準タイミング信号ｔの１周期毎に全てのユニット４０1，４０2，…，４０Nの送受信情報が時分割的に現れる。
【００３６】
各ユニット４０1，４０2，…，４０Nのデータ出力判定部８３から制御信号ｒａとして出力される情報としては、当該ユニットがサブデータを出力中の送信先のユニットの情報（送信先情報）、及び当該ユニットがサブデータを選択及び受信中の送信元のユニットの情報（送信元情報）が必要であり、送信先情報は、データ出力判定部８３が判定してタイミング信号ｒｂとして出力され、送信元情報は、波長選択判定部８２が判定して波長選択信号ｓａ及び制御信号ｓｂとして出力される。したがって、データ出力判定部８３は、図２（ｆ）に示すように、これらの送信先情報及び送信元情報をもとに、当該ユニットの送受信情報を制御信号ｒａとして出力する。
【００３７】
すなわち、波長選択判定部８２では、データ信号ｇに含まれる全ユニットの送信先情報が参照され、送信先のユニットが当該ユニットである送信元のユニットが検出され、同送信元のユニットからの光信号ｄを選択するための波長選択信号ｓａが出力される。また、データ出力判定部８３では、波長選択判定部８２から制御信号ｓｂを取り込むことにより、同波長選択判定部８２で受信されたデータ信号ｇに含まれる送信元情報が参照され、データ出力バッファ部８４に到着したサブデータの送信先のユニットのうちで送信元のユニットを未選択のものがある場合、この未選択のユニットにサブデータを送信するためのタイミング信号ｒｂが出力される。また、送信先のユニットが送信元のユニットを選択中である場合、サブデータは、データ出力バッファ部８４でバッファリングされる。このとき、他の送信先のユニット向けのサブデータがあり、送信可能な場合は、同サブデータが優先的に出力される。このようにして、データ出力判定部８３により、サブデータの送出が制御される。
【００３８】
また、送信先のユニットが送信元のユニットを選択していない場合、複数の送信元のユニットが出力開始する場合があるが、この場合、競合制御で出力継続するユニットを選択すればよく、方式としてはＣＳＭＡ／ＣＤ（Carrier Sense Multiple Access/Collision Detection 、衝突検出付き搬送波検知多重アクセス方式）やＩＳＤＮ−ＢＲＩ（Integrated Services Digital Network Basic Rate Interface）のＤチャネル制御などが用いられる。
【００３９】
以上のように、この第１の実施例では、各ユニット４０1，４０2，…，４０Nは、各データ信号ｙをユニット毎にユニークに設定された波長の光信号ｄに変換して送出する構成とされているので、この通信システムは、同各ユニット４０1，４０2，…，４０Nが接続ケーブル４１1，…，４１N-1を順次介してカスケード接続されて構成される。このため、ユニットを増設する場合でも、接続ケーブルの増加の割合が減少し、コストが削減されると共に、同ユニットの増設に伴う作業が軽減される。また、各ユニット４０1，４０2，…，４０Nの各データ信号ｙの送出の制御を光信号ｃ（制御用光）により行うので、各ユニット間に制御信号専用の接続ケーブルを付加する必要がない。このため、各ユニットの構成が比較的簡単になると共に、コストが削減される。また、各ユニット４０1，４０2，…，４０Nの光信号ブロック６０で送信元のユニットの光信号ｎを選択した後に同光信号ｘを光−電気変換器７４で光−電気変換するので、電気−光変換器７１，７２及び光−電気変換器７３，７４のように、電気−光変換器及び光−電気変換器の数が比較的少なくなり、ユニットの数に関わらず、通信システムが比較的小規模の構成で実現する。
【実施例２】
【００４０】
図３は、この発明の第２の実施例であるユニットの要部の構成を示すブロック図であり、第１の実施例を示す図１中の要素と共通の要素には共通の符号が付されている。
この例のユニットでは、図３に示すように、図１中の光信号ブロック６０に代えて、構成の異なる光信号ブロック６０Ａが設けられている。光信号ブロック６０Ａでは、図１中の光結合分配器６１、光方向結合器６２、光結合器６３、光波長分離器６４及び光選択器６５が光集積回路として一体化された構成となっている。他は、図１と同様の構成である。これにより、第１の実施例の利点に加え、さらに各ユニットの構成が簡単になると共に、コストが削減される。
【実施例３】
【００４１】
図４は、この発明の第３の実施例であるユニットの要部の構成を示すブロック図である。
この例のユニットでは、図１中の光選択器６５に代えて、光スイッチ９１1，９１2，…，９１N及び光結合器９２が設けられている。光スイッチ９１1，９１2，…，９１Nは、光波長分離器６４からの光信号ｎを波長選択信号ｓａに従って波長別に導通又は遮断する。光結合器９２は、Ｎ個の入力部（「入力」）「１」，「２」，…，「Ｎ」及び１個の出力部Ａを有し、光スイッチ９１1，９１2，…，９１Nから出力される光を光信号ｘとして光−電気変換器７４へ送出する。他は、図１と同様の構成である。
【００４２】
このユニットの動作では、光信号ｎが波長選択信号ｓａに従って波長別に選択されて光結合器９２に入力され、同光結合器９２から光信号ｘが出力される。光信号ｘは、光−電気変換器７４でデータ信号ｕに変換される。他は、第１の実施例と同様の動作が行われ、同様の利点がある。
【実施例４】
【００４３】
図５は、この発明の第４の実施例であるユニットの要部の構成を示すブロック図である。
この例のユニットでは、図１中の光選択器６５及び光−電気変換器７４に代えて、光−電気変換器９３1，９３2，…，９３N及びセレクタ９４が設けられている。光−電気変換器９３1，９３2，…，９３Nは、光波長分離器６４からの光信号ｎを波長別に電気信号ｉ1，ｉ2，…，ｉNに変換する。セレクタ９４は、Ｎ個の入力部（「入力」）「１」，「２」，…，「Ｎ」及び１個の出力部Ｂを有し、電気信号ｉ1，ｉ2，…，ｉNを波長選択信号ｓａに従って選択してデータ信号ｕとして出力する。
【００４４】
このユニットの動作では、光信号ｎが光−電気変換器９３1，９３2，…，９３Nで電気信号ｉ1，ｉ2，…，ｉNに変換され、同電気信号ｉ1，ｉ2，…，ｉNがセレクタ９４で波長選択信号ｓａに従って選択され、同セレクタ９４からデータ信号ｕが出力される。他は、第１の実施例と同様の動作が行われ、同様の利点がある。この場合、第１の実施例に比較して光−電気変換器の数が増加するが、光選択器６５が不要であるため、コストの面で有利となる。
【実施例５】
【００４５】
図６は、この発明の第５の実施例である通信システムの要部の電気的構成を示すブロック図である。
この例の通信システムでは、図１中のユニット４０1，４０2，…，４０Nに代えて、異なる構成のユニット４０Ａ1，４０Ａ2，…，４０ＡNが設けられ、同ユニット４０Ａ1，４０Ａ2，…，４０ＡNが接続ケーブル４１Ａ1，４１Ａ2，…，４１ＡN及び接続ケーブル４１Ｂ1，４１Ｂ2，…，４１ＢNを介して共通ユニット１００に接続されている。ユニット４０Ａ1では、ユニット４０1中の光結合分配器６１及び光方向結合器６２が削除されている。他は、ユニット４０1と同様の構成である。ユニット４０Ａ2，…，４０ＡNも、ユニット４０Ａ1と同様の構成になっている。接続ケーブル４１Ａ1，４１Ａ2，…，４１ＡN，４１Ｂ1，４１Ｂ2，…，４１ＢNは、光ファイバで構成されている。
【００４６】
共通ユニット１００は、光結合器１０１と、光分配器１０２とから構成されている。
光結合器１０１は、ユニット４０1，４０2，…，４０Nの各光結合器６３からの光信号ａを接続ケーブル４１Ａ1，４１Ａ2，…，４１ＡNをそれぞれ介して入力して合波して合波信号光Ｄを生成し、光分配器１０２へ送出する。光分配器１０２は、合波信号光Ｄを接続ケーブル４１Ｂ1，４１Ｂ2，…，４１ＢNを介してユニット４０1，４０2，…，４０Nへ送信する。
【００４７】
この通信システムの動作では、ユニット４０1，４０2，…，４０Nの各光結合器６３からの光信号ａが接続ケーブル４１Ａ1，４１Ａ2，…，４１ＡNをそれぞれ介して光結合器１０１に入力されて合波され、同光結合器１０１から合波信号光Ｄが光分配器１０２へ送出される。そして、合波信号光Ｄは、光分配器１０２から接続ケーブル４１Ｂ1，４１Ｂ2，…，４１ＢNを介してユニット４０1，４０2，…，４０Nへ送信される。他は、第１の実施例と同様の動作が行われ、同様の利点がある。また、接続ケーブル４１Ａ1，４１Ａ2，…，４１ＡN，４１Ｂ1，４１Ｂ2，…，４１ＢNが必要となるが、ユニット４０Ａ1，４０2，…，４０Nでは光結合分配器６１及び光方向結合器６２が不要であり、かつ共通ユニット１００が比較的簡単な構成になっているため、通信システムが比較的簡単な構成で実現する。
【産業上の利用可能性】
【００４８】
この発明は、多数のパソコンなどのユーザ端末が接続されるネットワークを企業内などで構成する場合に全般的に適用できる他、多数のルータなどが接続されるデータ系（基幹）通信システム、通信事業者が顧客へサービスを提供するために設置するデータ系（基幹）通信システムなどにも適用できる。
【図面の簡単な説明】
【００４９】
【図１】この発明の第１の実施例である通信システムの電気的構成を示すブロック図である。
【図２】図１の通信システムの動作を説明するためのタイムチャートである。
【図３】この発明の第２の実施例であるユニットの要部の構成を示すブロック図である。
【図４】この発明の第３の実施例であるユニットの要部の構成を示すブロック図である。
【図５】この発明の第４の実施例であるユニットの要部の構成を示すブロック図である。
【図６】この発明の第５の実施例である通信システムの要部の電気的構成を示すブロック図である。
【図７】従来の通信システムの構成図である。
【図８】従来の他の通信システムの構成図である。
【符号の説明】
【００５０】
４０1，４０2，…，４０N      ユニット（接続ユニット）
４０Ａ1，４０Ａ2，…，４０ＡN      ユニット（接続ユニット）
４１1，…，４１N-1      接続ケーブル（通信回線）
４１Ａ1，４１Ａ2，…，４１ＡN      接続ケーブル（通信回線）
４１Ｂ1，４１Ｂ2，…，４１ＢN      接続ケーブル（通信回線）
５０      データ交換ブロック
５１1，５１2，…，５１M      インタフェース部
５２      データ交換部（通信データ送信手段の一部）
５３      データ多重部（通信データ送信手段の一部）
５４      データ分配部（通信データ送信手段の一部）
６０，６０Ａ      光信号ブロック
６１      光結合分配器（光送信手段、光受信手段）
６２      光方向結合器（光送信手段、光受信手段）
６３      光結合器（光送信手段）
６４      光波長分離器
６５      光選択器（光選択手段）
７０      光／電気変換ブロック
７１      電気−光変換器（第１の電気／光変換器）
７２      電気−光変換器（第２の電気／光変換器）
７３      光−電気変換器（第２の光／電気変換器）
７４      光−電気変換器（第１の光／電気変換器）
８０      データ交換制御ブロック（信号光送出制御手段）
８１      基準タイミング発生部
８２      波長選択判定部
８３      データ出力判定部（タイミング設定手段）
８４      データ出力バッファ部
８５      多重化部
９１1，９１2，…，９１N      光スイッチ（光選択手段の一部）
９２      光結合器（光選択手段の一部）
９３1，９３2，…，９３N      光−電気変換器（光選択手段の一部）
９４      セレクタ（光選択手段の一部）
１００      共通ユニット（通信回線の一部）
１０１      光結合器（共通ユニットの一部）
１０２      光分配器（共通ユニットの一部）
【図１】
2006074707.tif 000003
【図２】
2006074707.tif 000004
【図３】
2006074707.tif 000005
【図４】
2006074707.tif 000006
【図５】
2006074707.tif 000007
【図６】
2006074707.tif 000008
【図７】
2006074707.tif 000009
【図８】
2006074707.tif 000010